(57)【要約】【課題】本発明は自動鉛筆削りを開示した。【解決手段】外殻を含み、前記削りチャンバの左右内壁の中には刀架が回転できるように装着され、前記刀架の左右二つの回転盤の間には前記刀架を中心として対称となる刃物軸が固定的に装着され、モータを始動し、モータが回転して第一ギヤと第二ギヤとを連動させて正方向へ回転させ、第一ギヤが回転して刀架と刃物とを連動させて回転させ、刃物が回転する時に鉛筆を削り、二つの作動モードを提供でき、自動モードで作動する時、手で推し動かして鉛筆の送り動作を行えばよく、手動の作動模式を使用する時に鉛筆を自動的にきつく挟み、また削る時に鉛筆を自動的に送り、鉛筆の芯に一定のスペースを空け、鉛筆が削られた後の一定の時間内に鉛筆の芯が折れないことを確保し、使用しやすい。【選択図】図１
2020172095.tif 000002
【特許請求の範囲】
【請求項１】
外殻を含み、前記外殻の中には砕屑チャンバが設置され、前記外殻の中には鉛筆を直接に削る削り部品が設置され、前記削り部品は削りチャンバを含み、前記削りチャンバの左右内壁の中には刀架が回転できるように装着され、前記刀架の左右二つの回転盤の間には前記刀架を中心として対称となる刃物軸が固定的に装着され、右側の前記刀架の回転盤にはギヤが設置され、前記刃物軸には刃物が固定的に装着され、前記刀架の中には削り溝が設置され、前記刃物が前記削り溝の内壁を貫通しており、鉛筆を削り溝の中に送った後、刃物が鉛筆を削ることができ、前記削り溝の内壁には前記刀架を中心として対称となる鉛筆の芯を削ることができる芯削りナイフが固定的に装着され、前記削り部品の右側には鉛筆をきつく挟むことと伝送することができる挟み部品が設置され、前記挟み部品は支持スライド溝と伝動チャンバを含み、前記支持スライド溝の中には支持スライダがスライドできるように装着され、前記支持スライダには鉛筆を支持できる支持輪が回転できるように装着され、前記支持輪には第一ゴム溝が設置され、前記伝動チャンバの後側にはプーリチャンバが設置され、前記プーリチャンバと前記伝動チャンバとの間にはスプライン軸が回転できるように装着され、前記スプライン軸にはスプラインが設置され、前記スプライン軸にあるスプラインには伝送輪がスプラインにより嵌合装着され、前記伝送輪が円錐状であり、前記伝送輪には第二ゴム溝が設置され、前記伝送輪の右側端面には連結ブロックが固定的に装着され、前記連結ブロックには前記伝送輪を推し動かして前へ運動させることにより前記伝送輪と前記支持輪とに鉛筆をきつく挟ませる推し動かしフォークが回転できるように装着され、前記伝送輪と前記支持輪とが協働して鉛筆を削る時に鉛筆をきつく挟むことができ、スプライン軸が回転した後、伝送輪が鉛筆を連動させて伝送し、鉛筆を削る時に自動送りを実現し、前記伝動チャンバの上側にはスライド軸チャンバが設置され、前記推し動かしフォークが上へ伸びて前記スライド軸チャンバの底壁を貫通しており、且つ前記外殻とスライドできるように連結され、前記スプライン軸には固定ブロックが固定的に装着され、前記固定ブロックと前記連結ブロックとの間には前記連結ブロックと前記伝送輪とを引き動かして後へ運動させて復帰させることができる復帰ばねが固定的に装着されていることを特徴とする自動鉛筆削り。
【請求項２】
前記削り部品はまた、前記削りチャンバの後側に設置され、且つ前記削りチャンバの後側の中に連通している削り伝動溝を含み、前記削り伝動溝の右側にはギヤチャンバが設置され、前記削り伝動溝の左側内壁の中にはモータが固定的に装着され、前記モータの出力軸にはモータ軸が固定的に装着され、前記モータ軸が右へ伸びて前記ギヤチャンバの左側内壁を貫通しており、前記モータ軸には第一ギヤが固定的に装着され、前記第一ギヤが前記刀架の回転盤にあるギヤと噛み合っており、前記ギヤチャンバの中には第二ギヤが設置され、前記第二ギヤがラチェット機構により前記モータ軸と固定的に装着され、前記ギヤチャンバと前記外殻の後側端面との間にはギヤ軸が回転できるように装着され、前記ギヤ軸の前側端面には第三ギヤが固定的に装着され、前記第三ギヤが前記第二ギヤと噛み合っており、前記ギヤ軸において前記プーリチャンバの中に位置しているところには第一プーリが固定的に装着され、前記ギヤ軸の後側端面には回転取っ手が固定的に装着され、これにより鉛筆を削る時、前記モータを始動し、前記モータが回転して前記第一ギヤと前記第二ギヤとを連動させて正方向へ回転させ、前記第一ギヤが回転して前記刀架と前記刃物とを連動させて回転させ、前記刃物が回転する時に鉛筆を削り、前記モータが逆方向へ回転する時、前記刃物は依然として鉛筆を削ることができるが、前記第二ギヤは回転しないことを特徴とする請求項１に記載の自動鉛筆削り。
【請求項３】
前記挟み部品はまた、前記支持スライダの底部端面と前記支持スライド溝の頂壁との間に固定的に装着されている支持ばねを含み、前記外殻の頂部端面と前記スライド軸チャンバの頂壁との間には推し動かしスライド軸がスライドできるように装着され、前記推し動かしスライド軸の左側内壁には引っ掛かり歯が固定的に設置され、前記スライド軸チャンバの左側にはボタン溝が設置され、前記ボタン溝の中には復帰ボタンがスライドできるように装着され、前記スライド軸チャンバの左側内壁の中には前記スライド軸チャンバと連通しているリミット軸溝が設置され、前記リミット軸溝の中にはリミット軸がスライドできるように装着され、前記リミット軸が前記引っ掛かり歯に引っかかることができ、前記リミット軸の左側端面と前記リミット軸溝の左側内壁との間には推し動かしばねが固定的に装着され、前記リミット軸には固定棒状体が固定的に装着され、前記復帰ボタンが前記固定棒状体とスライドできるように連結され、前記スプライン軸には第二プーリが固定的に装着され、前記第二プーリと前記第一プーリとの間にはベルトが伝動できるように装着され、これにより手で前記回転取っ手を揺り動かす時、前記回転取っ手が前記刀架と前記刃物とを連動させて回転させて鉛筆を削らせ、前記第一プーリが前記第二プーリを連動させて回転させ、前記第二プーリが回転して前記伝送輪を連動させて回転させ、前記推し動かしスライド軸を押し、前記推し動かしスライド軸が前記推し動かしフォークを推し動かして左へ運動させ、前記推し動かしフォークが左へ運動して前記伝送輪を左へ運動させて鉛筆をきつく挟み、また鉛筆を自動的に送って削ることを特徴とする請求項１に記載の自動鉛筆削り。
【発明の詳細な説明】
【技術分野】
【０００１】
本発明は文具用品分野を取り上げて、具体的には自動鉛筆削りである。
【背景技術】
【０００２】
鉛筆を削る時、いつも手で削らなければならなく、また力を入れて鉛筆を鉛筆削りの中に送る必要があるので、両手で協力する必要があり、しかし、現在の鉛筆削りは一般的に手で削らなければならなく、鉛筆を削る時間が長すぎると、自動的に鉛筆の芯を尖らし、更にこれで鉛筆の芯が直接に折れることもあり、芯が折れた後、ブレードを引っかからせ、次回の使用に不便である。
【先行技術文献】
【特許文献】
【０００３】
【特許文献１】中国特許出願公開第106335308号明細書
【発明の概要】
【発明が解決しようとする課題】
【０００４】
本発明は自動鉛筆削りを提供し、従来技術における上記欠点を解消することを目的とする。
【課題を解決するための手段】
【０００５】
本発明の自動鉛筆削りは、外殻を含み、前記外殻の中には砕屑チャンバが設置され、前記外殻の中には鉛筆を直接に削る削り部品が設置され、前記削り部品は削りチャンバを含み、前記削りチャンバの左右内壁の中には刀架が回転できるように装着され、前記刀架の左右二つの回転盤の間には前記刀架を中心として対称となる刃物軸が固定的に装着され、右側の前記刀架の回転盤にはギヤが設置され、前記刃物軸には刃物が固定的に装着され、前記刀架の中には削り溝が設置され、前記刃物が前記削り溝の内壁を貫通しており、鉛筆を削り溝の中に送った後、刃物が鉛筆を削ることができ、前記削り溝の内壁には前記刀架を中心として対称となる鉛筆の芯を削ることができる芯削りナイフが固定的に装着され、前記削り部品の右側には鉛筆をきつく挟むことと伝送することができる挟み部品が設置され、前記挟み部品は支持スライド溝と伝動チャンバを含み、前記支持スライド溝の中には支持スライダがスライドできるように装着され、前記支持スライダには鉛筆を支持できる支持輪が回転できるように装着され、前記支持輪には第一ゴム溝が設置され、前記伝動チャンバの後側にはプーリチャンバが設置され、前記プーリチャンバと前記伝動チャンバとの間にはスプライン軸が回転できるように装着され、前記スプライン軸にはスプラインが設置され、前記スプライン軸にあるスプラインには伝送輪がスプラインにより嵌合装着され、前記伝送輪が円錐状であり、前記伝送輪には第二ゴム溝が設置され、前記伝送輪の右側端面には連結ブロックが固定的に装着され、前記連結ブロックには前記伝送輪を推し動かして前へ運動させることにより前記伝送輪と前記支持輪とに鉛筆をきつく挟ませる推し動かしフォークが回転できるように装着され、前記伝送輪と前記支持輪とが協働して鉛筆を削る時に鉛筆をきつく挟むことができ、スプライン軸が回転した後、伝送輪が鉛筆を連動させて伝送し、鉛筆を削る時に自動送りを実現し、前記伝動チャンバの上側にはスライド軸チャンバが設置され、前記推し動かしフォークが上へ伸びて前記スライド軸チャンバの底壁を貫通しており、且つ前記外殻とスライドできるように連結され、前記スプライン軸には固定ブロックが固定的に装着され、前記固定ブロックと前記連結ブロックとの間には前記連結ブロックと前記伝送輪とを引き動かして後へ運動させて復帰させることができる復帰ばねが固定的に装着されている。
【０００６】
更の技術プランとしては、前記削り部品はまた、前記削りチャンバの後側に設置され、且つ前記削りチャンバの後側の中に連通している削り伝動溝を含み、前記削り伝動溝の右側にはギヤチャンバが設置され、前記削り伝動溝の左側内壁の中にはモータが固定的に装着され、前記モータの出力軸にはモータ軸が固定的に装着され、前記モータ軸が右へ伸びて前記ギヤチャンバの左側内壁を貫通しており、前記モータ軸には第一ギヤが固定的に装着され、前記第一ギヤが前記刀架の回転盤にあるギヤと噛み合っており、前記ギヤチャンバの中には第二ギヤが設置され、前記第二ギヤがラチェット機構により前記モータ軸と固定的に装着され、前記ギヤチャンバと前記外殻の後側端面との間にはギヤ軸が回転できるように装着され、前記ギヤ軸の前側端面には第三ギヤが固定的に装着され、前記第三ギヤが前記第二ギヤと噛み合っており、前記ギヤ軸において前記プーリチャンバの中に位置しているところには第一プーリが固定的に装着され、前記ギヤ軸の後側端面には回転取っ手が固定的に装着されている。
【０００７】
更の技術プランとしては、前記挟み部品はまた、前記支持スライダの底部端面と前記支持スライド溝の頂壁との間に固定的に装着されている支持ばねを含み、前記外殻の頂部端面と前記スライド軸チャンバの頂壁との間には推し動かしスライド軸がスライドできるように装着され、前記推し動かしスライド軸の左側内壁には引っ掛かり歯が固定的に設置され、前記スライド軸チャンバの左側にはボタン溝が設置され、前記ボタン溝の中には復帰ボタンがスライドできるように装着され、前記スライド軸チャンバの左側内壁の中には前記スライド軸チャンバと連通しているリミット軸溝が設置され、前記リミット軸溝の中にはリミット軸がスライドできるように装着され、前記リミット軸が前記引っ掛かり歯に引っかかることができ、前記リミット軸の左側端面と前記リミット軸溝の左側内壁との間には推し動かしばねが固定的に装着され、前記リミット軸には固定棒状体が固定的に装着され、前記復帰ボタンが前記固定棒状体とスライドできるように連結され、前記スプライン軸には第二プーリが固定的に装着され、前記第二プーリと前記第一プーリとの間にはベルトが伝動できるように装着されている。
【発明の効果】
【０００８】
本発明の有益効果は：本発明は二つの作動モードを提供でき、自動モードで作動する時、手で推し動かして鉛筆の送り動作を行えばよく、手動の作動模式を使用する時に鉛筆を自動的にきつく挟み、また削る時に鉛筆を自動的に送り、鉛筆の芯に一定のスペースを空け、鉛筆が削られた後の一定の時間内に鉛筆の芯が折れないことを確保し、使用しやすく、普及の価値がある。
【図面の簡単な説明】
【０００９】
【図１】図１は本発明の全体構成模式図
【図２】図２は図１の中のＡ−Ａ方向の断面構成模式図
【図３】図３は図１の中のＢ−Ｂ方向の断面構成模式図
【図４】図４は図１の中のＣにおける拡大構成模式図
【図５】図５は図１の中のＤ−Ｄ方向の断面構成模式図
【発明を実施するための形態】
【００１０】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１１】
図１〜５を参照し、本発明の自動鉛筆削りは、外殻１０を含み、前記外殻１０の中には砕屑チャンバ１１が設置され、前記外殻１０の中には鉛筆を直接に削る削り部品８０が設置され、前記削り部品８０は削りチャンバ１３を含み、前記削りチャンバ１３の左右内壁の中には刀架１５が回転できるように装着され、前記刀架１５の左右二つの回転盤の間には前記刀架１５を中心として対称となる刃物軸１７が固定的に装着され、右側の前記刀架１５の回転盤にはギヤが設置され、前記刃物軸１７には刃物１８が固定的に装着され、前記刀架１５の中には削り溝１４が設置され、前記刃物１８が前記削り溝１４の内壁を貫通しており、鉛筆を削り溝１４の中に送った後、刃物１８が鉛筆を削ることができ、前記削り溝１４の内壁には前記刀架１５を中心として対称となる鉛筆の芯を削ることができる芯削りナイフ１６が固定的に装着され、前記削り部品８０の右側には鉛筆をきつく挟むことと伝送することができる挟み部品８１が設置され、前記挟み部品８１は支持スライド溝２３と伝動チャンバ２８を含み、前記支持スライド溝２３の中には支持スライダ２２がスライドできるように装着され、前記支持スライダ２２には鉛筆を支持できる支持輪２０が回転できるように装着され、前記支持輪２０には第一ゴム溝２１が設置され、前記伝動チャンバ２８の後側にはプーリチャンバ１９が設置され、前記プーリチャンバ１９と前記伝動チャンバ２８との間にはスプライン軸２５が回転できるように装着され、前記スプライン軸２５にはスプラインが設置され、前記スプライン軸２５にあるスプラインには伝送輪２６がスプラインにより嵌合装着され、前記伝送輪２６が円錐状であり、前記伝送輪２６には第二ゴム溝２７が設置され、前記伝送輪２６の右側端面には連結ブロック３２が固定的に装着され、前記連結ブロック３２には前記伝送輪２６を推し動かして前へ運動させることにより前記伝送輪２６と前記支持輪２０とに鉛筆をきつく挟ませる推し動かしフォーク２９が回転できるように装着され、前記伝送輪２６と前記支持輪２０とが協働して鉛筆を削る時に鉛筆をきつく挟むことができ、スプライン軸２５が回転した後、伝送輪２６が鉛筆を連動させて伝送し、鉛筆を削る時に自動送りを実現し、前記伝動チャンバ２８の上側にはスライド軸チャンバ３０が設置され、前記推し動かしフォーク２９が上へ伸びて前記スライド軸チャンバ３０の底壁を貫通しており、且つ前記外殻１０とスライドできるように連結され、前記スプライン軸２５には固定ブロック３４が固定的に装着され、前記固定ブロック３４と前記連結ブロック３２との間には前記連結ブロック３２と前記伝送輪２６とを引き動かして後へ運動させて復帰させることができる復帰ばね３３が固定的に装着されている。
【００１２】
前記削り部品８０はまた、前記削りチャンバ１３の後側に設置され、且つ前記削りチャンバ１３の後側の中に連通している削り伝動溝４１を含み、前記削り伝動溝４１の右側にはギヤチャンバ４４が設置され、前記削り伝動溝４１の左側内壁の中にはモータ４０が固定的に装着され、前記モータ４０の出力軸にはモータ軸４２が固定的に装着され、前記モータ軸４２が右へ伸びて前記ギヤチャンバ４４の左側内壁を貫通しており、前記モータ軸４２には第一ギヤ４３が固定的に装着され、前記第一ギヤ４３が前記刀架１５の回転盤にあるギヤと噛み合っており、前記ギヤチャンバ４４の中には第二ギヤ４５が設置され、前記第二ギヤ４５がラチェット機構により前記モータ軸４２と固定的に装着され、前記ギヤチャンバ４４と前記外殻１０の後側端面との間にはギヤ軸３７が回転できるように装着され、前記ギヤ軸３７の前側端面には第三ギヤ４６が固定的に装着され、前記第三ギヤ４６が前記第二ギヤ４５と噛み合っており、前記ギヤ軸３７において前記プーリチャンバ１９の中に位置しているところには第一プーリ３８が固定的に装着され、前記ギヤ軸３７の後側端面には回転取っ手３９が固定的に装着され、これにより鉛筆を削る時、モータ４０を始動し、モータ４０が回転して第一ギヤ４３と第二ギヤ４５とを連動させて正方向へ回転させ、第一ギヤ４３が回転して刀架１５と刃物１８とを連動させて回転させ、刃物１８が回転する時に鉛筆を削り、モータ４０が逆方向へ回転する時、刃物１８は依然として鉛筆を削ることができるが、第二ギヤ４５は回転しない。
【００１３】
前記挟み部品８１はまた、前記支持スライダ２２の底部端面と前記支持スライド溝２３の頂壁との間に固定的に装着されている支持ばね２４を含み、前記外殻１０の頂部端面と前記スライド軸チャンバ３０の頂壁との間には推し動かしスライド軸３１がスライドできるように装着され、前記推し動かしスライド軸３１の左側内壁には引っ掛かり歯５２が固定的に設置され、前記スライド軸チャンバ３０の左側にはボタン溝５５が設置され、前記ボタン溝５５の中には復帰ボタン５０がスライドできるように装着され、前記スライド軸チャンバ３０の左側内壁の中には前記スライド軸チャンバ３０と連通しているリミット軸溝４７が設置され、前記リミット軸溝４７の中にはリミット軸５１がスライドできるように装着され、前記リミット軸５１が前記引っ掛かり歯５２に引っかかることができ、前記リミット軸５１の左側端面と前記リミット軸溝４７の左側内壁との間には推し動かしばね４８が固定的に装着され、前記リミット軸５１には固定棒状体４９が固定的に装着され、前記復帰ボタン５０が前記固定棒状体４９とスライドできるように連結され、前記スプライン軸２５には第二プーリ３６が固定的に装着され、前記第二プーリ３６と前記第一プーリ３８との間にはベルト３５が伝動できるように装着され、これにより手で回転取っ手３９を揺り動かす時、回転取っ手３９が刀架１５と刃物１８とを連動させて回転させて鉛筆を削らせ、第一プーリ３８が第二プーリ３６を連動させて回転させ、第二プーリ３６が回転して伝送輪２６を連動させて回転させ、推し動かしスライド軸３１を押し、推し動かしスライド軸３１が推し動かしフォーク２９を推し動かして左へ運動させ、推し動かしフォーク２９が左へ運動して伝送輪２６を左へ運動させて鉛筆をきつく挟み、また鉛筆を自動的に送って削る。
【００１４】
使用する時：鉛筆を削る時、モータ４０を始動し、モータ４０が回転して第一ギヤ４３と第二ギヤ４５とを連動させて正方向へ回転させ、第一ギヤ４３が回転して刀架１５と刃物１８を連動させて回転させ、刃物１８が回転する時に鉛筆を削り、モータ４０が逆方向へ回転する時、刃物１８は依然として鉛筆を削ることができるが、第二ギヤ４５は回転しなく、手で揺らして作動する時、回転取っ手３９を揺り動かす時、回転取っ手３９が第一プーリ３８と第三ギヤ４６とを連動させて正方向へ回転させ、第三ギヤ４６が第二ギヤ４５と第一ギヤ４３とを連動させて回転させることができ、第一ギヤ４３が刀架１５と刃物１８とを連動させて回転させて鉛筆を削らせ、第一プーリ３８が第二プーリ３６を連動させて回転させ、第二プーリ３６が回転して伝送輪２６を連動させて回転させ、推し動かしスライド軸３１を押し、推し動かしスライド軸３１が推し動かしフォーク２９を推し動かして左へ運動させ、推し動かしフォーク２９が左へ運動して伝送輪２６を左へ運動させて鉛筆をきつく挟み、また鉛筆を自動的に送って削り、回転取っ手３９が逆方向へ回転する時、第三ギヤ４６が第二ギヤ４５を連動させて回転させ、第二ギヤ４５が第一ギヤ４３を連動させて回転させることができなく、鉛筆を削らなく、回転取っ手３９が伝送輪２６を連動させて逆方向へ回転させて鉛筆を推して出し、復帰ボタン５０を押し、復帰ボタン５０がリミット軸５１を推し動かして左へ運動させ、これによりリミット軸５１が引っ掛かり歯５２に引っかからなくなり、復帰ばね３３が連結ブロック３２と伝送輪２６とを引き動かして右へ運動させることができ、鉛筆をきつく挟まなくなる。
【００１５】
本発明の有益効果は：本発明は二つの作動モードを提供でき、自動モードで作動する時、手で推し動かして鉛筆の送り動作を行えばよく、手動の作動模式を使用する時に鉛筆を自動的にきつく挟み、また削る時に鉛筆を自動的に送り、鉛筆の芯に一定のスペースを空け、鉛筆が削られた後の一定の時間内に鉛筆の芯が折れないことを確保し、使用しやすく、普及の価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172095.tif 000003
【図２】
2020172095.tif 000004
【図３】
2020172095.tif 000005
【図４】
2020172095.tif 000006
【図５】
2020172095.tif 000007
【手続補正書】
【提出日】令和1年5月28日(2019.5.28)
【手続補正１】
【補正対象書類名】特許請求の範囲
【補正対象項目名】請求項３
【補正方法】変更
【補正の内容】
【請求項３】
前記挟み部品はまた、前記支持スライダの底部端面と前記支持スライド溝の頂壁との間に固定的に装着されている支持ばねを含み、前記外殻の頂部端面と前記スライド軸チャンバの頂壁との間には推し動かしスライド軸がスライドできるように装着され、前記推し動かしスライド軸の左側内壁には引っ掛かり歯が固定的に設置され、前記スライド軸チャンバの左側にはボタン溝が設置され、前記ボタン溝の中には復帰ボタンがスライドできるように装着され、前記スライド軸チャンバの左側内壁の中には前記スライド軸チャンバと連通しているリミット軸溝が設置され、前記リミット軸溝の中にはリミット軸がスライドできるように装着され、前記リミット軸が前記引っ掛かり歯に引っかかることができ、前記リミット軸の左側端面と前記リミット軸溝の左側内壁との間には推し動かしばねが固定的に装着され、前記リミット軸には固定棒状体が固定的に装着され、前記復帰ボタンが前記固定棒状体とスライドできるように連結され、前記スプライン軸には第二プーリが固定的に装着され、前記第二プーリと前記第一プーリとの間にはベルトが伝動できるように装着され、これにより手で前記回転取っ手を揺り動かす時、前記回転取っ手が前記刀架と前記刃物とを連動させて回転させて鉛筆を削らせ、前記第一プーリが前記第二プーリを連動させて回転させ、前記第二プーリが回転して前記伝送輪を連動させて回転させ、前記推し動かしスライド軸を押し、前記推し動かしスライド軸が前記推し動かしフォークを推し動かして左へ運動させ、前記推し動かしフォークが左へ運動して前記伝送輪を左へ運動させて鉛筆をきつく挟み、また鉛筆を自動的に送って削ることを特徴とする請求項2に記載の自動鉛筆削り。